(57)【要約】  セッションコントローラ間のセッション転送を可能にすることにより無線ネットワークのコネクション管理からセッション管理をデカップリングするシステム及び方法。セッション転送コンポーネントは、セッションの所有権をソースセッションコントローラからターゲットセッションコントローラに転送する。該セッション転送は、必ずしもそれに関連するコネクションを移動することを要しない。上記転送は、関連する基地局に、該セッションの転送に関して通知をするために更新されるユニキャストアクセス端末識別子（ＵＡＴＩ）を用いる。
2010522509.tif 000002
【特許請求の範囲】
【請求項１】
基地局に対するアクセス端末（ＡＴ）及びセッションを識別すること；及び
ソースセッションコントローラからターゲットセッションコントローラに前記セッションの所有権を転送することを含み、前記セッションは、該セッションに関連するコネクションとは無関係に移動可能である、セッションハンドオフの方法。
【請求項２】
前記セッションの識別について基地局に伝えるユニキャストアクセス端末識別子（ＵＡＴＩ）を用いることをさらに含む請求項１の方法。
【請求項３】
３ＧＰＰ２システムにおける、前記ソースセッションコントローラとしてのソースセッションリファレンスネットワークコントローラ（ＳＲＮＣ）と、前記ターゲットコントローラとしてのターゲットＳＲＮＣとを提供することをさらに含む請求項２の方法。
【請求項４】
セッション転送が完了すると、前記ターゲットＳＲＮＣに対して前記セッションを再度ネゴシエーションすることをさらに含む請求項３の方法。
【請求項５】
セッション転送を開始するために、前記ソースＳＲＮＣによりＳＲＮＣ転送要求を受信することをさらに含む請求項３の方法。
【請求項６】
前記セッションの識別を容易にするために、前記ＵＡＴＩのシーケンス番号を基地局に提供することをさらに含む請求項３の方法。
【請求項７】
セッション転送中のセッション変更を拒絶するために、前記ソースＳＲＮＣにより前記セッションをロックすることをさらに含む請求項３の方法。
【請求項８】
前記ターゲットＳＲＮＣから前記ＡＴへの前記ＵＡＴＩの割り当てが完了すると、前記セッションをアンロックすることをさらに含む請求項７の方法。
【請求項９】
セッション所有権の転送を前記ＡＴと通信する全てのエンティティに対してアナウンスすることをさらに含む請求項３の方法。
【請求項１０】
基地局に対するアクセス端末（ＡＴ）及びセッションを識別するための第１のモジュールと、ソースセッションコントローラからターゲットセッションコントローラに前記セッションの所有権を転送するための第２のモジュールとを具備し、前記セッションは該セッションに関連するコネクションとは無関係に移動可能であり、セッションハンドオフを提供するように構成された少なくとも１つのプロセッサ。
【請求項１１】
コンピュータリーダブルを具備するコンピュータプログラム製品であって、該コンピュータリーダブルは、
コンピュータに、基地局に対するアクセス端末（ＡＴ）及びセッションを識別させるための第１のコードセット；及び
前記コンピュータに、ソースセッションコントローラからターゲットセッションコントローラに前記セッションの所有権を転送させる第２のコードセットを具備し、前記セッションは、該セッションに関連するコネクションとは無関係に移動可能である、コンピュータプログラム製品。
【請求項１２】
ソースＳＲＮＣからターゲットＳＲＮＣにセッションを転送するための手段を具備し、
前記セッションはそのコネクションと無関係に移動可能であり、
前記セッションの転送に関して基地局に伝えるための手段を具備する装置。
【請求項１３】
基地局に対するアクセス端末（ＡＴ）及びセッションを識別すること；及び
ソースセッションコントローラからのセッション転送の結果として、前記セッションの所有権をターゲットセッションコントローラにより受信することを含み、前記セッションはそれに関連するコネクションと無関係に移動可能である、セッション転送の方法。
【請求項１４】
前記セッションの識別について基地局に伝えるユニキャストアクセス端末識別子（ＵＡＴＩ）を用いることをさらに含む請求項１３の方法。
【請求項１５】
３ＧＰＰ２システムにおける、前記ソースセッションコントローラとしてのソースセッションリファレンスネットワークコントローラ（ＳＲＮＣ）と、前記ターゲットコントローラとしてのターゲットＳＲＮＣとを提供することをさらに含む請求項１３の方法。
【請求項１６】
セッション転送が完了すると、前記ターゲットＳＲＮＣに対して前記セッションを再度ネゴシエーションすることをさらに含む請求項１５の方法。
【請求項１７】
ＳＲＮＣ転送要求を前記ターゲットＳＲＮＣにより送信することをさらに含む請求項１５の方法。
【請求項１８】
ソースＳＲＮＣによって割当てられたページ識別子、及びターゲットＳＲＮＣによって割当てられたページ識別子の少なくともいずれかにより前記ＡＴをページングすることをさらに含む請求項１５の方法。
【請求項１９】
セッション転送中のセッション変更を拒絶するために、前記ソースＳＲＮＣにより前記セッションをロックすることをさらに含む請求項１５の方法。
【請求項２０】
前記ターゲットＳＲＮＣの指示により前記セッションをアンロックすることをさらに含む請求項１９の方法。
【請求項２１】
セッション所有権の転送を前記ＡＴと通信する全てのエンティティに対してアナウンスすることをさらに含む請求項１３の方法。
【請求項２２】
基地局に対するＡＴ及びセッションを識別するように動作可能な無線アクセス端末と；
ソースＳＲＮＣからターゲットＳＲＮＣに前記セッションを転送するように動作可能なセッション転送コンポーネントとを具備し、
前記セッションはそのコネクションと無関係に移動可能である、コンピュータによりインプリメントされたシステム。
【請求項２３】
ソースＳＲＮＣとターゲットＳＲＮＣの間のセッションを切替えるための命令を供給するメモリユニット；及び
前記ソースＳＲＮＣと前記ターゲットＳＲＮＣの間の前記セッションを切替えるための命令を実行するプロセッサユニットを具備し、前記セッションはそのコネクションと無関係に移動可能である、無線通信のためのシステム。
【請求項２４】
ソースＳＲＮＣからターゲットＳＲＮＣにセッションを転送するための手段を具備し、
前記セッションはそれに関連するコネクションと無関係に移動可能であり、
前記ターゲットＳＲＮＣへのセッション転送に関して基地局に伝えるための手段を具備する通信システム。
【請求項２５】
前記ターゲットＳＲＮＣを識別するための手段をさらに具備する請求項２４の通信システム。
【請求項２６】
ターゲットＳＲＮＣへのセッションリファレンス転送の要求に関して、ソースＳＲＮＣによってＩＡＳ−ＳＲＮＣ転送要求メッセージを受信すること；及び
セッション転送を容易にするために、新規のＵＡＴＩのための情報を含むソースＳＲＮＣによってＩＡＳ−ＳＲＮＣ転送応答メッセージを送信することを含む無線通信システムのための方法。
【請求項２７】
セッションの変更を拒絶するために、該セッションをロックすることをさらに含む請求項２６の方法。
【請求項２８】
セッション転送を容易にするために、前記ソースＳＲＮＣによってＩＡＳ−ＵＡＴＩ更新Ａｃｋメッセージを前記ターゲットＳＲＮＣに送信することをさらに含む請求項２６の方法。
【請求項２９】
応答時間を管理するために、メッセージ交換中にタイマーを停止し又は開始することをさらに含む請求項２６の方法。
【請求項３０】
転送のための基地局に対し前記ターゲットＳＲＮＣへの前記セッションの転送を通知することをさらに含む請求項２６の方法。
【発明の詳細な説明】
【関連出願】
【０００１】
３５Ｕ．Ｓ．Ｃ．§１１９に基づく優先権主張
本特許出願は、２００７年３月２０日に提出された「ＭＥＴＨＯＤ  ＦＯＲ  ＴＲＡＮＳＦＥＲＲＩＮＧ  ＳＥＳＳＩＯＮＳ  ＲＥＦＥＲＥＮＣＥ  ＣＯＮＴＲＯＬＬＥＲ  ＩＮ  ＤＩＳＴＲＩＢＵＴＥＤ  ＲＡＤＩＯ  ＡＣＣＥＳＳ  ＮＥＴＷＯＲＫＳ」と題する仮出願第６０／８９５，９３０号及び２００７年６月１９日に提出された「ＭＥＴＨＯＤ  ＡＮＤ  ＡＰＰＡＲＡＴＵＳ  ＦＯＲ  ＩＡＳ  ＩＮＴＥＲＦＡＣＥ  ＭＥＳＳＡＧＥ」と題する仮出願第６０／９４５，０６７号の優先権を主張し、両出願はその譲受人に譲渡され、本明細書で参照することにより本明細書に特に組込まれる。
【技術分野】
【０００２】
以下の説明は一般に無線通信に関し、特にネットワークエンティティー間のセッション所有権の転送のための方法及び装置に関する。
【背景技術】
【０００３】
無線ネットワーキングシステムは、世界中の人々と通信するための普及手段になった。携帯電話機、携帯情報端末などのような無線通信装置は、消費者ニーズを満たし、かつポータビリティ及び利便性を向上する目的でより小さく、より強力になった。消費者はこれらのデバイスに依存するようになり、サービスの高い信頼性、カバレッジエリアの拡大、さらなるサービス（例えばウェブブラウジング機能）、上記デバイスの継続的なサイズ及びエリアの縮小が要求されている。
【０００４】
特に、無線技術は進化し続けており、モバイルサービスの発展は、常に豊富かつより強力なモバイル及び集中サービスに向かっている。エンドユーザは、あらゆる環境において、より多くの、そしてより高品質のマルチメディアコンテンツを求めていることから、デバイス技術の発展は、データ利用消費の増加をさらに一層高めている。例えば、過去数年以上にわたって無線通信技術は、アナログ駆動システムからデジタルシステムに発展した。従来のアナログ・システムにおいて、アナログ信号は順方向リンク及び逆方向リンク上を中継され、適切な品質に関係しながら信号を送受信するためにはかなりの量の帯域幅を必要とするのが典型的である。アナログ信号は、時間的及び空間的に連続していることから、ステータスメッセージ（例えばデータの受信又はデータの受信不能を指示するメッセージ）は生成されない。これとは対照的に、パケット交換型システムでは、アナログ信号がデータパケットに変換され、アクセス端末、基地局、ルータなどの間の物理チャネル経由で送信される。さらに、パケット交換網を用いることによって、デジタルデータをその自然な形式（例えばテキスト、インターネットデータなど）で中継することができる。
【０００５】
そのようなものとしてデジタル無線通信システムは、テレフォニー、ビデオ、データ、メッセージング、ブロードキャストなどのような種々の通信サービスを提供するために広く展開している。上記システムは、利用可能なネットワーク資源を共有することによって複数のアクセス端末を広域ネットワーク（ＷＡＮ）に接続するアクセスネットワークを一般に用いる。典型的なアクセスネットワークは、地理的なカバレッジ領域の全体にわたって分散する複数のアクセスポイントを実装している。地理的なカバレッジ領域は、各セルにおいてアクセスポイントと共にセルに分割することができる。また、セルは、さらにセクタに分割することができる。しかしながら、そのようなシステムアーキテクチャーにおいて移動しているＡＴに対してセッション情報を供給し、ページング管理を行うのは、困難な課題となっている。
【発明の概要】
【０００６】
下記は開示された態様の基本的了解事項を提供するために単純化された要約を示す。この要約は広範囲な概観ではなく、重要又は重大な構成要素を同定することや、かかる態様の範囲を線引きすることは意図されていない。その目的は、後に示されるより詳細な説明の前ぶれとして、説明された態様のいくつかの概念を簡素なかたちで示すことにある。
【０００７】
説明された態様は、セッション転送コンポーネントが、ソースセッションコントローラ（例えばソースセッションリファレンスネットワークコントローラ−ＳＲＮＣ）からターゲットセッションコントローラ（例えばターゲットＳＲＮＣ）への通信セッションの転送を提供し、無線ネットワークのコネクション管理からのセッション管理のデカップリングを可能する。従って、セッション管理はコネクション管理と無関係になり、セッションが転送される場合、該セッションに関連するコネクションを移動することを要しない。上記は、セッションを移動する場合にコネクションが移動されることを要し、割込みを引起し得る従来のシステムと対照的である。従って、説明された態様は、ＡＴと無線通信システムの間のデータストリームの割込を伴わないセッションの転送を提供する。
【０００８】
一般に、コネクションとは、アクセス端末（ＡＴ）がアクセスネットワーク（ＡＮ）と通信できるようにするためのリソース（例えば、専用リソース）の割当てを意味する。同様に、セッションとは、コンフィギュレーション、属性、又はＡＴとＡＮの間でネゴシエーションされるパラメータ（例えばサービス品質コンフィギュレーション）のコレクションを意味し、セッションコントローラは、上記コンフィギュレーションについての権限を保持する。基地局とＡＴの間の通信はセッションコントローラにおいて維持されたコンフィギュレーションに基く。ＡＴと通信する前に、基地局はセッションコントローラから上記コンフィギュレーションを得る必要がある。コネクションは、セッション状態とは別個に維持される。（セッションコントローラではない）基地局は、コネクションを制御する。
【０００９】
セッション及びＡＴは、ユニキャストアクセス端末識別子（ＵＡＴＩ）に基いて、基地局に対して識別されることができ、ＡＴのために、セッション署名はセッションのバージョンを指定することができる。セッション署名による上記識別は、セッションが更新されるときにインクリメントすることができるシーケンス番号に基くことができ、例えば、セッションは、追加のリソースを要する新規のアプリケーションの開始で変更され得る。
【００１０】
そのような更新に基いて、ＵＡＴＩを受信する基地局は、明確かつ明らかに、セッションコントローラ（例えばターゲットＳＲＮＣ）を見つけることができ、このときからセッションを管理してセッション情報を取り出す。セッション情報が望ましくない場合、基地局は再度、セッションをネゴシエーションしてもよいことが理解されるべきである。
【００１１】
関連する態様において、ＳＲＮＣの転送は、どのＳＲＮＣが選ばれるかにかかわらず、ＡＴと基地局の間で通信されるデータのストリームへの割込を伴わずに発生する。さらに、ＡＴは各基地局を認識して直接通信することができる。ＳＲＮＣは、ＡＴが上記基地局と行ったネゴシエーションのコーディネーターとして振る舞う。ＳＲＮＣは典型的には、認証機能及び、基地局とアクセス端末の間でネゴシエーションされる関連コンフィギュレーションを含み、基地局が情報を取り出すレファレンスとして機能する（例えば、セッション変更中の矛盾を回避するためにセッション情報を取得する）。ソースＳＲＮＣは、またセッションのレファレンスコピーを保持し、ページングコントローラ機能を行うことができる。ＳＲＮＣは、ＡＴのＵＡＴＩを用いて見つけることができる。関連する態様では、セッション転送コンポーネントは、ＳＲＮＣを別の実体にロバストに転送することができ、同時に、別のＡＮがアクティブセット又はセッションネゴシエーションに加えられる。
【００１２】
方法によれば、先ず、ソースＳＲＮＣ及びターゲットＳＲＮＣが、（例えば、通信のためにセットアップされた）メッセージ交換のための経路セットに位置する。続いて、ＳＲＮＣ転送要求に関係するメッセージを、ターゲットＳＲＮＣからソースＳＲＮＣに送信することができる。その後、ソースＳＲＮＣは、ターゲットＳＲＮＣに供給されたシーケンス番号を基地局に示すために、ＵＡＴＩシーケンス番号（例えばＵＡＴＩに関連して増加する番号）を供給することができる。さらに、ターゲットＳＲＮＣは、更新されたＵＡＴＩをＡＴに供給することができる。ＡＴがそのようなメッセージを受信すると、該ＡＴは、更新されたＵＡＴＩに対する同意を示し、割当てられたターゲットＳＲＮＣへの転送を指示するために、ターゲットＳＲＮＣに対してＵＡＴＩ完了メッセージによって応答する。その後、ターゲットＳＲＮＣは、該ターゲットＳＲＮＣに関係する経路のメンバー（例えばソースＳＲＮＣ及びサービングｅＢＳ）に対し、ＵＡＴＩが更新され、今やターゲットＳＲＮＣが当該セッションの所有権を取得したことをアナウンスする。同様に、基地局は、該基地局に関連するＵＡＴＩを、ターゲットＳＲＮＣのＵＡＴＩに変更することができる。
【００１３】
上述の関連する目的を達成するために、ある実例となる態様を、以下の詳細な説明及び添付の図面と併せてここに説明する。しかしながら、これらの態様は、開示された主題の原理を採用できる種々の方法のわずか数例を示すものであって、クレームされた主題は、そのような態様及びその等価物を全て含むことが意図される。以下の詳細な説明を図面と共に検討すれば、他の利点及び新規な特徴が明らかになるであろう。
【図面の簡単な説明】
【００１４】
【図１】図１は、ソースセッションリファレンスコントローラ（ＳＲＮＣ）からターゲットＳＲＮＣにセッションを転送する例示のセッション転送コンポーネントを示す。
【図２】図２は、アクセス端末（ＡＴ）と論理的に通信するためのＡＮ経路インスタンス（ＡＮＲＩ）を含む機能実体の形態のアクセスネットワークを含むＳＲＮＣ転送のための例示のシステムを示す。
【図３】図３は、基地局に転送を指定するために更新可能な例示のユニキャストアクセス端末識別子（ＵＡＴＩ）を示す。
【図４】図４は、ある態様に従って、ソースＳＲＮＣからターゲットＳＲＮＣへの状態の転送に関連する方法を示す。
【図５】図５は、ある態様に従ってソースＳＲＮＣからターゲットＳＲＮＣにセッションの所有権を転送するさらに別の方法を示す。
【図６】図６は、ソースＳＲＮＣ及びターゲットＳＲＮＣが、既に経路セットに存在している（例えば、互いに通信する）ことを仮定し、さらなる態様に従ってＳＲＮＣ転送の例示の呼び出しフローを示す。
【図７】図７は、セッションリファレンス転送中に経路セット追加が発生する場合の呼び出しフローを示す。
【図８】図８は、さらなる態様に従って、セッションネゴシエーションがセッションリファレンス転送中に試みられる場合のさらなるフローチャートを示す。
【図９】図９は、ＡＴがＵＡＴＩ割当てメッセージを受信しない場合の、例示のセッションリファレンス転送に関するフローチャートを示す。
【図１０】図１０は、ＵＡＴＩ完了メッセージが失われる場合のセッションリファレンス転送の失敗シナリオについて説明するさらに別の呼び出しフローの例示の態様を示す。
【図１１】図１１は、ソースＳＲＮＣからターゲットＳＲＮＣへのセッションの所有権の転送を容易にする特定システムを示す。
【図１２】図１２は、ある態様に従ってターゲットＳＲＮＣにセッションを送信することに関連して用いることができるシステムを示す。
【図１３】図１３は、無線システムの一部としてＡＴとＡＮが通信できるようにするコネクションを制御する例示の基地局機能を示す。
【発明を実施するための形態】
【００１５】
ここで、種々の態様を図面を参照して説明する。以下の明細書には、１つ又は複数の態様の一通りの理解が得られるように、説明を目的として幾多の具体的詳細が記載される。しかしながら、これら具体的詳細が無くとも、かかる態様を実施できることは明らかであろう。
【００１６】
本願明細書で用いるような「コンポーネント」、「モジュール」、「システム」などの用語は、ハードウェア、ファームウェア、ハードウェアとソフトウェアの組み合わせ、ソフトウェア又は実行中のソフトウェアのようなコンピュータ関連の実体を含むことが意図されるが、これらには限定されない。例えば、コンポーネントはプロセッサ上の実行プロセス、プロセッサ、オブジェクト、実行ファイル、実行スレッド、プログラム、及び（又は）コンピュータであってもよいが、これらに限定されるものではない。実例として、コンピューティング装置上で実行するアプリケーション、及びコンピューティング装置は、ともにコンポーネントとすることができる。１つ又は複数のコンポーネントがプロセス及び（又は）実行スレッド内に存在することができ、あるコンポーネントを１つのコンピュータに配置し、及び（又は）２台以上のコンピュータに分散配置してもよい。さらに、これらのコンポーネントは、諸データ構造を格納する種々のコンピュータ読取り可能な媒体から実行してもよい。該コンポーネントは、ローカルプロセス及び／又はリモートプロセスとしてローカルシステム、分散型システムにおける別のコンポーネントと相互作用するコンポーネントからのデータ、インターネットのようなネットワークを経由する信号を手段として他システムと相互作用するコンポーネントからのデータのような１つ又は複数のデータパケットを有する信号に従って通信を行ってもよい。
【００１７】
さらに、端末に関連して種々の態様を説明する。端末は、有線端末又は無線端末であってもよい。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、又はユーザ機器（ＵＥ）と称されうる。無線端末は、コードレス電話機、衛星電話機、コードレス電話機、セッション設定プロトコル（ＳＩＰ）電話機、ワイヤレスローカルループ（ＷＬＬ）局、携帯情報端末（ＰＤＡ）、無線接続能力を持つハンドヘルド装置、コンピューティング装置、又は無線モデムに接続された他の処理装置であってもよい。さらに、基地局に関連して種々の態様を説明する。基地局は、無線端末との通信に利用されることができ、アクセスポイント、ＮｏｄｅＢ、エンハンスト基地局（ｅＢＳ）又は他の何らかの用語で称することができる。
【００１８】
さらに、用語「又は（ｏｒ）」は、排他的な「又は」よりもむしろ、包括的な「又は」を意味することが意図される。すなわち、別段の指定がない又は文脈から明らかでない限り、「ｘはＡ又はＢを用いる」という句は、自然な包括的置換のいずれかを意味することが意図される。すなわち、「ｘはＡ又はＢを用いる」という句は、ｘがＡを用い、ｘがＢを用い、又はｘがＡとＢの両方を用いるという例のうちのいずれによっても満たされる。さらに、このａｐｐｌｉｃａｔｉｏｎ及び添付のｃｌａｉｍｓにおいて用いられるような冠詞「ａ」及び「ａｎ」は、別段の指定がない、又は単数形が意図されていることが文脈から明らかでない限り「１つ又は複数」を意味すると一般的に解釈されるべきである。
【００１９】
本明細書で説明された技術は、ＣＤＭＡ、ＴＤＭＡ、ＦＤＭＡ、ＯＦＤＭＡ、ＳＣ−ＦＤＭＡ及び他のシステムのような種々の無線通信システムに用いられてもよい。「システム」、「ネットワーク」という用語は、しばしば区別なく用いられる。ＣＤＭＡシステムは、ユニバーサル地上無線アクセス（ＵＴＲＡ）、ｃｄｍａ２０００などのような無線技術を実装してもよい。ＵＴＲＡは広帯域ＣＤＭＡ（Ｗ−ＣＤＭＡ）及び他のＣＤＭＡの変種を含んでいる。さらに、ｃｄｍａ２０００はＩＳ−２０００、ＩＳ−９５及びＩＳ−８５６標準をカバーする。ＴＤＭＡシステムは、グローバル移動体通信システム（ＧＳＭ）のような無線技術を実装してもよい。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどのような無線技術を実装してもよい。ＵＴＲＡ及びＥ−ＵＴＲＡは地上波無線アクセスネットワーク（ＵＭＴＳ）の一部である。３ＧＰＰロングタームエボリューション（ＬＴＥ）はＥ−ＵＴＲＡを用いるＵＭＴＳのリリースであり、アップリンクにＳＣ−ＦＤＭＡを用い、ダウンリンクにＯＦＤＭＡを用いる。ＵＴＲＡ、Ｅ−ＵＴＲＡ、ＵＭＴＳ、ＬＴＥ及びＧＳＭについては「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文献に記載されている。またｃｄｍａ２０００及びＵＭＢについては「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文献に記載されている。
【００２０】
種々の態様又は特徴は、いくつかのデバイス、コンポーネント、モジュールなどを含んでもよいシステムの観点で示される。該種々のシステムは、追加装置、コンポーネント、モジュールなど、及び（又は）装置、コンポーネント、モジュールの必ずしも全てを含まなくてもよいことを理解され、了解されたい。これらのアプローチの組合せを用いてもよい。
【００２１】
図１は、ソースセッションリファレンスコントローラ１１１（ＳＲＮＣ）からターゲットＳＲＮＣ１１３にセッション１４２を転送する例示のセッション転送コンポーネント１２５を示す。典型的には、ソース及びターゲットＳＲＮＣ１１１、１１３は、アクセス端末１２０（ＡＴ）とのセッションリファレンスを維持する責任を担う。さらに、上記ソースＳＲＮＣ１１１及びターゲットＳＲＮＣ１１３は、ＡＴ１２０のアイドル状態管理をサポートし、ＡＴ１２０がアイドルである場合のページング制御機能を提供することができる。一の態様では、ＳＲＮＣ１１１、１１３は、サポートしている各ＡＴ１２０について、セッションアンカー経路を含んでいる。ＡＴ１２０のためのアクセスゲートウェイ（ＡＧＷ）選択は、ＳＲＮＣ１１１、１１３によって行うことができる。さらに、ＳＲＮＣは、ＡＴがアイドルである場合に、ＡＧＷとのシグナリングのみのバインディングを確立するデータアタッチメントポイントＳＲＮＣ機能を引受けることができる。ＳＲＮＣは、アクセス認証のためのオーセンチケータとして機能することもできる。
【００２２】
図１に示すように、セッション転送コンポーネント１２５は、ソースＳＲＮＣ１１１からターゲットＳＲＮＣ１１３にセッション１４２の所有権を転送し、その後、関連する基地局に上記転送を指定するために、関連するユニキャストアクセス端末識別子（ＵＡＴＩ）を更新することができる。従って、セッション管理はコネクション管理と無関係になり、セッションが移動する場合、必ずしもこれに関連するコネクションを移動することを要しない。上記は、セッションを移動する場合、コネクションが移動されることを要し、割込みを引起し得る従来のシステムと対照的である。基地局（不図示）とＡＴ１２０の間の通信は、セッションコントローラにおいて維持されたコンフィギュレーションに基いており、ＡＴと通信する前に、基地局はセッションコントローラから上記コンフィギュレーションを得る必要がある。セッション及びＡＴ１２０は、ユニキャストアクセス端末識別子（ＵＡＴＩ）に基いて、基地局に対して識別されることができ、ＡＴのために、セッション署名はセッションのバージョンを指定することができる。セッション署名による上記識別は、セッションが更新されるときにインクリメントすることができるシーケンス番号に基くことができ、例えば、セッションは、追加のリソースを要する新規のアプリケーションの開始で変更され得る。
【００２３】
そのような更新に基いて、ＵＡＴＩを受信する基地局は、明確かつ明らかに、ターゲットＳＲＮＣ１１１を見つけることができ、このときからセッションを管理してセッション情報を取り出す。セッション情報が望ましくない場合、基地局は再度、セッションをネゴシエーションしてもよいことが理解されるべきである。ＵＡＴＩは、（例えば、８ビットのサイズを持つ）サブネット識別子セグメント及び（例えば２４ビットの）所定サイズを持つＡＴ識別子部分を含んでいてもよい。また、ＵＡＴＩは、ＡＴ１２０に関してＳＲＮＣのＩＰアドレスを含んでいてもよい。従って、（例えばソースサブネットからターゲットサブネットに）ＡＴシステムが移動する場合、ターゲットＳＲＮＣをＵＡＴＩから識別することができ、その後、更新されたＵＡＴＩ又は新規のＵＡＴＩによって、セッションは参照され特定される。図１には単一のユニットとしてセッション転送コンポーネントを示しているが、上記ユニットはシステム全体にわたって分散してもよいことが理解されるべきである。またセッション転送中のページングプロセスは、（例えば、ソースセッションコントローラによってＡＴに割当てられた）旧ページＩＤ、及び新規のＵＡＴＩがＡＴから確認される前の（例えば、ターゲットＳＲＮＣによってＡＴに割当てられた）新規のページＩＤの両方を用いることによって行われても良い。
【００２４】
図２は、アクセス端末（ＡＴ）２２０と論理的に通信するためのＡＮ経路インスタンス（ＡＮＲＩ）２１１、２１３、２１５を含む機能実体の形態のアクセスネットワークを含むＳＲＮＣ転送のための例示のシステムを示す。順方向無線リンク又は逆方向無線リンク上で現在ＡＴ２２０をサービングしていないＡＮＲＩによる通信は、順方向リンクサービングｅＢＳ（ＦＬＳＥ）及び逆方向リンクサービングｅＢＳ（ＲＬＳＥ）によってＵＭＢ経路プロトコルパケットをトンネル化することにより論理的に遂行される。ＳＲＮＣ２３０はＡＴ２２０との経路を持ち得、ＳＲＮＣ２３０は、他の基地局とトランスペアレントに通信することができる。一の態様では、セッションの転送は、ＡＴと無線通信システムの間のデータストリームを中断することなく発生する。さらに、ＡＴ２２０は各基地局を認識して直接通信することができ、ＳＲＮＣは、ＡＴが上記基地局と行ったネゴシエーションのコーディネーターとして働くことができる。
【００２５】
図２に示すように、アクセスゲートウェイ（ＡＧＷ）２２５は、ＡＴにパケットデータネットワークへの「ＩＰアタッチメントポイント」を提供する。従って、ＡＧＷ２２５は、ＡＴ２２０にとっては、最初の有効なホップルータであり、ＡＧＷ２２５は、ｅＢＳ／ＳＲＮＣとＡＧＷの間のシグナリングメッセージを処理する制御プレーン（Ｃプレーン）と、ベアラートラフィックを処理するユーザープレーン（Ｕプレーン）とから成ってもよい。Ｃプレーン及びＵプレーンは、異なるＩＰエンドポイントを持ってもよい。転送コンポーネントはある実体から別の実体にＳＲＮＣを移動させる。
【００２６】
ソースＳＲＮＣは、セッションのレファレンスコピーを保持し、ページングコントローラ機能を行うことができる。ＳＲＮＣはＡＴ２２０のＵＡＴＩを用いて特定することができる。例えば、ＳＲＮＣのＩＰアドレスがＵＡＴＩの一部として組み込まれてもよい。転送コンポーネントは、別のＡＮが加えられるのと同時に発生する別の実体にＳＲＮＣをロバストに転送する。従って、転送コンポーネントはソースＳＲＮＣからターゲットＳＲＮＣにセッションの所有権を転送し、基地局に上記転送を指示するために関連するユニキャストアクセス端末識別子（ＵＡＴＩ）を更新することができる。
【００２７】
セッション及びＡＴは、ユニキャストアクセス端末識別子（ＵＡＴＩ）に基いて、基地局に対し識別することができ、セッション署名は、ＡＴに関してセッションのバージョンを示すことができる。上記の更新に基いて、ＵＡＴＩを受信する基地局は、明確かつ明らかに、ターゲットＳＲＮＣを見つけることができ、このときからセッションリファレンスを管理し、セッション情報を取り出す。セッション情報が望ましくない場合、基地局が再度、セッションをネゴシエーションしてもよいことが理解されるべきである。図２に示すように、Ｕ１リファレンスポイントは、ｅＢＳとＡＧＷの間の制御情報及びベアラー情報を運ぶ。同様に、Ｕ２リファレンスポイントは、ＳＲＮＣとｅＢＳの間の制御情報を運ぶ。また、Ｕ３リファレンスポイントは、２つのｅＢＳの間の制御情報及びベアラー情報を運ぶ。またＵ４リファレンスポイントは、ＳＲＮＣ間の制御情報を運ぶ。さらに、Ｕ６リファレンスポイントは、ＳＲＮＣとＡＧＷの間の制御情報を運ぶ。
【００２８】
図３は、通信システム３００の一部として、ある基地局から別の基地局へのＡＴの転送を指定するために更新可能な例示のユニキャストアクセス端末識別子（ＵＡＴＩ）３１９を示している。ＵＡＴＩは、ＡＴ及び該ＡＴをサービングしている関連ＳＲＮＣを識別する一時的な識別子として役立つものである。例えば、ＵＡＴＩ３１９は、移動局３２６、３２７、ＡＮ、ターゲットＳＲＮＣ３４０又はソースＳＲＮＣ３３０の間のエアインタフェース上を送信されるメッセージにおいて用いることができる。図３に示すように、ＵＡＴＩ３１９は、所定数のビット（例えば、ＡＮ用の８ビットのプレフィックス及び１６ビットのＳＲＮＣ識別子を含む２４ビット）を含む。上記構成はあくまで例示であって、主題イノベーションの範囲において他の構成も適切であることが理解されるべきである。
【００２９】
さらに、一連のフレームが後に続く付加的なフレームプリアンブルを用いることができる。スーパーフレームプリアンブルには、アクセス端末がいずれかのキャリア上で通信するために必要なタイミング及び他の情報、基本パワー制御情報又はオフセット情報のような、さらなる取得情報が含まれていてもよい。別の場合では、フレームプリアンブルあるいはサブフレームが上記及び／又は他の情報のいずれかのみを含んでもよい。さらに、各フレームは、ある定義期間にわたる送信において同時に利用することができるサブキャリアの数を特定することができる。
【００３０】
関連する態様において、更新可能なＵＡＴＩによるＳＲＮＣの上記転送は、ＡＴ３２６、３２７及び無線通信システムの間でデータストリームの割込無しで発生することができる。さらに、ＡＴ３２６及び３２７は各基地局を認識して直接的に通信することができる。この場合、ＳＲＮＣは、このような基地局に対してＡＴが行うネゴシエーションのコーディネーターとして働くことができる。
【００３１】
図４は、ある態様に従って、ソースＳＲＮＣからターゲットＳＲＮＣへのセッション転送に関連する方法４００を示す。本明細書では、例示の方法を、種々のイベント及び（又は）アクトを代表する一連のブロックとして示し説明するが、かかるブロックが示す順序によって種々の態様は限定されるものではない。例えば、いくつかのアクト又はイベントが、本明細書で説明される種々の態様に従って示される順序から離れ、異なる順序で発生してもよく、及び（又は）他のアクト又はイベントと同時に発生してもよい。また、主題イノベーションに従って方法を実装するためには、示されるブロック、イベント、又はアクトの全てが必ずしも必要であるとは限らない。また、本明細書で例証され説明される方法ならびに図示されず説明されない他のシステム及び装置に関連して、当該イノベーションに従う例示の方法及び他の方法を実装することができることを理解されたい。最初に４１０では、ＡＴをサーブしている基地局の変更が検出され、ソースＳＲＮＣとターゲットＳＲＮＣの間の変更が促される。次に４２０では、ターゲットＳＲＮＣを指定するように、ソースＳＲＮＣに関連するＵＡＴＩが更新される。４３０では、セッションは、ソースＳＲＮＣからターゲットＳＲＮＣに所有権を転送することができる。上記ソースＳＲＮＣからターゲットＳＲＮＣへの移転により、４４０において、当該セッションのセッション管理は、コネクション管理からデカップリングされることになる従って、セッション管理はコネクション管理と無関係になり、セッションが移動される場合、該セッションに関連するコネクションを移動することを要しない。上記は、セッションを移動する場合、コネクションが移動されることを要し、割込みを引起し得る従来のシステムと対照的である。
【００３２】
図５は、ある態様に従ってソースＳＲＮＣからターゲットＳＲＮＣまでセッションの所有権を転送するさらに別の方法５００を示す。最初に５１０では、ソースＳＲＮＣ及びターゲットＳＲＮＣはメッセージ交換の経路セットに位置する。続いて５２０では、ＳＲＮＣ転送要求に関係するメッセージを、ターゲットＳＲＮＣからソースＳＲＮＣに送信することができる。５３０では、その後、ソースＳＲＮＣはＵＡＴＩシーケンス番号（例えばＵＡＴＩに関連して増加する番号）を供給し、ターゲットＳＲＮＣに関して供給されたシーケンス番号を基地局に示すことができる。さらに、ターゲットＳＲＮＣは更新されたＵＡＴＩをＡＴに供給することができる。そのようなメッセージをＡＴが受信すると、該ＡＴは、続いて、更新されたＵＡＴＩへの合意及び割当てられたターゲットＳＲＮＣへの転送を指示するために、ＵＡＴＩ完了メッセージによりターゲットＳＲＮＣに応答する。５４０では、その後、ターゲットＳＲＮＣは、該ターゲットＳＲＮＣに関係する経路のメンバー（例えばソースＳＲＮＣ及びサービングｅＢＳ）に対し、ＵＡＴＩが更新され、今やターゲットＳＲＮＣが当該セッションの所有権を取得したことをアナウンスする。同様に、基地局は、該基地局に関連するＵＡＴＩを、ターゲットＳＲＮＣのＵＡＴＩに変更することができる。
【００３３】
図６は、さらなる態様に従ってＳＲＮＣ転送の例示の呼び出しフロー６００を示しており、ここでは、ソースＳＲＮＣ及びターゲットＳＲＮＣが、既に経路セットに存在している（例えば、互いに通信する）ことを仮定している。図示のように、最初に６１０では、ターゲットＳＲＮＣは、セッションリファレンス転送を要求するためにアクセス間ネットワークシグナリング（ＩＡＳ）−ＳＲＮＣ転送要求メッセージをソースＳＲＮＣに送信し、タイマーＴｓｔｒ−ｉａｓを開始する。上記のタイマーは、メッセージ交換手順の信頼性を高めるために用いられる。
【００３４】
続いて６２０では、ソースＳＲＮＣがＩＡＳ−ＳＲＮＣ転送応答メッセージによりターゲットＳＲＮＣに応答する。上記のメッセージは（新規のＵＡＴＩに関して）新規のＵＡＴＩ＿ＳｅｑＮｏを含んでいる。ソースＳＲＮＣがＩＡＳ−ＳＲＮＣ転送応答メッセージを送信した時点で、該ソースＳＲＮＣに関連するセッションがロックされてもよい。上記のセッションロックは、さらなるセッション変更−さらにはセッションのコピー要求の受理及びＡＴをページングする要求−の拒絶を含んでもよい。ＩＡＳ−ＳＲＮＣ転送応答メッセージを受信すると、ターゲットＳＲＮＣはタイマーＴｓｔｒ−ｉａｓを停止させる。ターゲットＳＲＮＣもまた、そのセッションをロックしてもよい。
【００３５】
６３０では、ターゲットＳＲＮＣは、新規のＵＡＴＩを含んでいるＵＡＴＩ割当てメッセージをＡＴに送信する。続いて６４０では、ＵＡＴＩ割当てメッセージを受信すると、ＡＴはターゲットＳＲＮＣにＵＡＴＩ完了メッセージを送信する。新規のＵＡＴＩを宛先とするシグナリングメッセージ又はＵＡＴＩ完了メッセージを受信すると、ターゲットＳＲＮＣはそのセッションをアンロックし、例えばセッションコンフィギュレーションを許可し、経路セットにおける全てのＡＮＲＩにＩＡＳ−ＵＡＴＩ更新メッセージを送信する。
【００３６】
次に６４０では、新規のＵＡＴＩ＿ＳｅｑＮｏとともにＩＡＳ−ＵＡＴＩ更新メッセージを受信すると、ソースＳＲＮＣは旧ＵＡＴＩを解放し、ターゲットＳＲＮＣにＩＡＳ−ＵＡＴＩ更新Ａｃｋメッセージを送信する。ＩＡＳ−ＵＡＴＩ更新Ａｃｋメッセージを受信すると、ターゲットＳＲＮＣはセッションをアンロックし、タイマーＴｕｕｐｄ−ｉａｓを停止する。
【００３７】
図７は、セッションリファレンス転送中に経路セット追加が発生する場合の呼び出しフロー７００を示す。上記の呼び出しフロー７００は、ソースＳＲＮＣ及びターゲットＳＲＮＣが既に経路セットに存在するが、ｅＢＳ１は未だ経路セットに存在しないことを仮定している。図示のように、最初に７１０では、ターゲットＳＲＮＣは、セッションリファレンス転送を要求するためにＩＡＳ−ＳＲＮＣ転送要求メッセージをソースＳＲＮＣに送信し、タイマーＴｓｔｒ−ｉａｓを開始する。
【００３８】
次に７２０では、ソースＳＲＮＣはそのセッションをロックし、ＩＡＳ−ＳＲＮＣ転送応答メッセージによりターゲットＳＲＮＣに応答する。上記のメッセージは（新規のＵＡＴＩに関して）新規のＵＡＴＩ＿ＳｅｑＮｏを含んでいる。ＩＡＳ−ＳＲＮＣ転送応答メッセージを受信すると、ターゲットＳＲＮＣはタイマーＴｓｔｒ−ｉａｓを停止する。
【００３９】
続いて７３０では、ターゲットＳＲＮＣは、新規のＵＡＴＩを含んでいるＵＡＴＩ割当てメッセージをＡＴに送信する。しかし、メッセージがＡＴで受信される前に、ＡＴは、経路セットにｅＢＳ１を加えるために、ｅＢＳ１にＲｏｕｔｅＯｐｅｎＲｅｑｕｅｓｔメッセージを旧ＵＡＴＩを用いて送信する。７４０では、ｅＢＳ１は、これが経路セット追加であることを示すフラグとともに、旧ＵＡＴＩを宛先とするＩＡＳ−セッション情報要求メッセージをソースＳＲＮＣに送信し、タイマーＴｓｉｒ−ｉａｓを開始する。
【００４０】
７５０では、ソースＳＲＮＣは、セッション情報とともにＩＡＳ−セッション情報応答メッセージを送信することにより、セッションの要求を受理する。ＩＡＳ−セッション情報応答メッセージを受信すると、ｅＢＳ１はタイマーＴｓｉｒ−ｉａｓを停止する。
【００４１】
続いて７６０では、ＡＴはターゲットＳＲＮＣからＵＡＴＩ割当てメッセージを受信する。次に７７０では、ＵＡＴＩ割当てメッセージを受信すると、ＡＴはターゲットＳＲＮＣにＵＡＴＩ完了メッセージを送信する。一方ターゲットＳＲＮＣは、新規のＵＡＴＩを宛先とするシグナリングメッセージ又はＵＡＴＩ完了メッセージを受信すると、そのセッションをアンロックし、ここでセッションコンフィギュレーションを有効とすることができ、経路セットにおける全てのＡＮＲＩにＩＡＳ−ＵＡＴＩ更新メッセージを送信する。
【００４２】
７８０では、ターゲットＳＲＮＣは、新規のＵＡＴＩ及び新規のＵＡＴＩ＿ＳｅｑＮｏとともにＩＡＳ−ＵＡＴＩ更新メッセージをソースＳＲＮＣに送信し、タイマーＴｕｕｐｄ−ｉａｓを開始する。７９０では、ＩＡＳ−ＵＡＴＩ更新メッセージを受信すると、ソースＳＲＮＣは旧ＵＡＴＩを解放し、ターゲットＳＲＮＣにＩＡＳ−ＵＡＴＩ更新Ａｃｋメッセージを送信する。ＩＡＳ−ＵＡＴＩ更新Ａｃｋメッセージを受信すると、ターゲットＳＲＮＣはタイマーＴｕｕｐｄ−ｉａｓを停止する。７９２では、ＡＴは、アクト７３０におけるＲｏｕｔｅＯｐｅｎＲｅｑｕｅｓｔメッセージに対するｅＢＳ１からのＲｏｕｔｅＯｐｅｎＡｃｃｅｐｔメッセージを受信する。続いて７９４では、ＡＴは、ターゲットＳＲＮＣを含む経路セットにおける全てのＡＮＲＩにＲｏｕｔｅＭａｐＳｔａｔｕｓメッセージを送信する。
【００４３】
次に７９６では、経路セットにおける新規のｅＢＳ１を含むＲｏｕｔｅＭａｐＳｔａｔｕｓメッセージを受信すると、ターゲットＳＲＮＣは、新規のＵＡＴＩ及び新規のＵＡＴＩ＿ＳｅｑＮｏを含むＩＡＳ−ＵＡＴＩ更新メッセージをｅＢＳ１に送信し、タイマーＴｕｕｐｄ−ｉａｓを開始する。次に７９９では、ＩＡＳ−ＵＡＴＩ更新メッセージを受信すると、ｅＢＳ１はターゲットＳＲＮＣにＩＡＳ−ＵＡＴＩ更新Ａｃｋメッセージを送信する。ＩＡＳ−ＵＡＴＩ更新Ａｃｋメッセージを受信すると、ターゲットＳＲＮＣはタイマーＴｕｕｐｄ−ｉａｓを停止する。
【００４４】
図８は、さらに別の態様に従って、さらに別のフローチャートを示している。上記フローチャートでは、セッションリファレンス転送中にセッションネゴシエーションを試みる場合の呼び出しフローを説明している。上記の呼び出しフロー８００は、ｅＢＳ１  ８９１、ソースＳＲＮＣ８９２及びターゲットＳＲＮＣ８９３が既に経路セットに存在することを仮定している。最初に８０１では、ターゲットＳＲＮＣ８９３は、セッションリファレンス転送を要求するためにＩＡＳ−ＳＲＮＣ転送要求メッセージをソースＳＲＮＣ８９２に送信し、タイマーＴｓｔｒ−ｉａｓを開始する。
【００４５】
続いて８０２では、ソースＳＲＮＣ８９２はそのセッションをロックし、ＩＡＳ−ＳＲＮＣ転送応答メッセージによりターゲットＳＲＮＣ８９３に応答する。このメッセージは（新規のＵＡＴＩに関して）新規のＵＡＴＩ＿ＳｅｑＮｏを含んでいる。ＩＡＳ−セッション情報要求メッセージを受信すると、ターゲットＳＲＮＣ８９３はタイマーＴｓｔｒ−ｉａｓを停止する。該ターゲットＳＲＮＣは、新規のＵＡＴＩを含んでいるＵＡＴＩ割当てメッセージをＡＴに送信する。また一方、このメッセージがＡＴで受信される前に、ＡＴ及びｅＢＳ１は、８０３でセッションネゴシエーションを開始する。
【００４６】
次に８０４では、セッションネゴシエーションを完了するために、ｅＢＳ１  ８９１が旧ＵＡＴＩとともにＩＡＳ−セッション情報更新要求メッセージをソースＳＲＮＣ８９２に送信し、タイマーＴｓｕｒ−ｉａｓを開始する。８０５では、ソースＳＲＮＣは、セッションがロックされることを示すエラー原因値によりｅＢＳ１  ８９１にＩＡＳ−セッション情報更新応答メッセージを送信することにより、該要求を拒絶する。ＩＡＳ−セッション情報更新応答メッセージを受信すると、ｅＢＳ１はタイマーＴｓｉｒ−ｉａｓを停止する。ｅＢＳ１は、ＩＡＳ−ＵＡＴＩ更新メッセージを受信した後、該ＳＲＮＣでセッションの更新を再び試みてもよいし、８９５でＡＴとのセッションネゴシエーションを終了してもよい。次に８０６では、ＡＴはターゲットＳＲＮＣからＵＡＴＩ割当てメッセージを受信する。
【００４７】
続いて８０７では、ＵＡＴＩ割当てメッセージを受信すると、ＡＴはターゲットＳＲＮＣにＵＡＴＩ完了メッセージを送信する。新規のＵＡＴＩを宛先とするシグナリングメッセージ又はＵＡＴＩ完了メッセージを受信すると、ターゲットＳＲＮＣは、そのセッションをアンロックし、セッションコンフィギュレーションを許可することができ、ソースＳＲＮＣ及びｅＢＳ１を含む経路セットにおける全てのＡＮＲＩにＩＡＳ−ＵＡＴＩ更新メッセージを送信する。
【００４８】
次に８０８では、ターゲットＳＲＮＣは、新規のＵＡＴＩとともにＩＡＳ−ＵＡＴＩ更新メッセージをソースＳＲＮＣに送信し、タイマーＴｕｕｐｄ−ｉａｓを開始する。８０９では、ＩＡＳ−ＵＡＴＩ更新メッセージを受信すると、ソースＳＲＮＣは旧ＵＡＴＩを解放し、ターゲットＳＲＮＣにＩＡＳ−ＵＡＴＩ更新Ａｃｋメッセージを送信する。ＩＡＳ−ＵＡＴＩ更新Ａｃｋメッセージを受信すると、ターゲットＳＲＮＣはタイマーＴｕｕｐｄ−ｉａｓを停止する。
【００４９】
続いて８１０では、ターゲットＳＲＮＣは、新規のＵＡＴＩとともにＩＡＳ−ＵＡＴＩ更新メッセージをｅＢＳ１に送信し、タイマーＴｕｕｐｄ−ｉａｓを開始する。８１１では、ＩＡＳ−ＵＡＴＩ更新メッセージを受信すると、ｅＢＳ１は新規のＵＡＴＩを用い、ターゲットＳＲＮＣにＩＡＳ−ＵＡＴＩ更新Ａｃｋメッセージを送信する。ＩＡＳ−ＵＡＴＩ更新Ａｃｋメッセージを受信すると、ターゲットＳＲＮＣはタイマーＴｕｕｐｄ−ｉａｓを停止する。次に８１２では、ＩＡＳ−ＵＡＴＩ更新メッセージを受信すると、ｅＢＳ１が新規のＵＡＴＩとともにＩＡＳ−セッション更新要求メッセージをターゲットＳＲＮＣに送信し、タイマーＴｓｕｒ−ｉａｓを開始する。
【００５０】
続いて８１３では、ターゲットＳＲＮＣは、新規のセッション署名によりｅＢＳ１にＩＡＳ−セッション更新応答メッセージを送信することにより、要求を受理する。ＩＡＳ−セッション更新応答メッセージを受信すると、ｅＢＳ１はタイマーＴｓｕｒ−ｉａｓを停止する。従って８１４では、ｅＢＳ１及びＡＴは、新規のセッション署名を用いてセッションネゴシエーションを完了する。
【００５１】
図９は、ＡＴ９９９がＵＡＴＩ割当てメッセージを受信しない場合の、例示のセッションリファレンス転送に関する呼び出しフロー９００を示している。上記の呼び出しフロー９００は、ソースＳＲＮＣ９９１及びターゲットＳＲＮＣ９９３が既に経路セットに存在するが、ｅＢＳ１  ９９７は未だ経路セットに存在しないことを仮定している。最初に９１０では、ターゲットＳＲＮＣ９９３は、セッションリファレンス転送を要求するためにＩＡＳ−ＳＲＮＣ転送要求メッセージをソースＳＲＮＣ９９１に送信し、タイマーＴｓｔｒ−ｉａｓを開始する。
【００５２】
次に９１１では、ソースＳＲＮＣ９９１は、ＩＡＳ−ＳＲＮＣ転送応答メッセージによりターゲットＳＲＮＣ９９３に応答する。このメッセージは（新規のＵＡＴＩに関して）新規のＵＡＴＩ＿ＳｅｑＮｏを含んでいる。ＩＡＳ−ＳＲＮＣ転送応答メッセージを受信すると、ターゲットＳＲＮＣ９９３はタイマーＴｓｔｒ−ｉａｓを停止する。続いて９１２では、ターゲットＳＲＮＣ９９３は、新規のＵＡＴＩを含んでいるＵＡＴＩ割当てメッセージをＡＴ９９９に送信する。しかしＡＴ９９９は、コネクションを失っていることから、このメッセージを受信しない。
【００５３】
この期間中にソースＳＲＮＣ９９１がページング要求メッセージを受信する場合、ソースＳＲＮＣ９９１は旧ページＩＤを用いて、ＡＴ９９９についてのページング手順を開始するものとする。同様に、ＵＡＴＩ完了メッセージが受信されない場合、ソースＳＲＮＣ及びターゲットＳＲＮＣ９９３は、セッションキープアライブタイマーが終了するとすぐに、新規のＵＡＴＩを解放してもよい。９１３では、ＡＴ９９９は、ｅＢＳ１  ９９７に旧ＵＡＴＩとともにＲｏｕｔｅＯｐｅｎＲｅｑｕｅｓｔを送信することにより、ｅＢＳ１  ９９７にアクセスする。続いて９１４では、ｅＢＳＮ１は、これがアクセスであることを示すフラグとともに、ＩＡＳ−セッション情報要求メッセージをソースＳＲＮＣに送信し、タイマーＴｓｉｒ−ｉａｓを開始する。
【００５４】
次に９１５では、旧ＵＡＴＩ及びアクセスフラグとともにＩＡＳ−セッション情報要求メッセージを受信すると、ソースＳＲＮＣはセッションをアンロックし、ＩＡＳ−セッション情報応答メッセージによりｅＢＳ１に応答する。上記のメッセージは現在のセッション、現在のデータアタッチメントポイント（ＤＡＰ）及び現在のセッション署名を含んでいる。ＩＡＳ−セッション情報応答メッセージを受信すると、ｅＢＳ１はタイマーＴｓｉｒ−ｉａｓを停止する。
【００５５】
続いて９１６では、ＡＴとともに経路セットアップ手順を完了するために、ｅＢＳ１は該ＡＴにＲｏｕｔｅＯｐｅｎＡｃｃｅｐｔメッセージを送信する。さらに９１７では、該ＡＴは、該経路セットにおける全てのＡＮＲＩにＲｏｕｔｅＭａｐＳｔａｔｕｓメッセージを送信する。次に９１８では、旧ＵＡＴＩ及びアクセスフラグとともにＩＡＳ−セッション情報要求を受信すると、新規のＵＡＴＩを解放してもよいことをターゲットＳＲＮＣに通知するために、ソースＳＲＮＣは、ターゲットＳＲＮＣにＩＡＳ−ＵＡＴＩ更新メッセージを送信する。その後、ソースＳＲＮＣはタイマーＴｕｕｐｄ−ｉａｓを開始する。
【００５６】
続いて９１９では、ＩＡＳ−ＵＡＴＩ更新メッセージを受信すると、ターゲットＳＲＮＣは新規のＵＡＴＩを解放し、ソースＳＲＮＣにＩＡＳ−ＵＡＴＩ更新Ａｃｋメッセージを送信する。ＩＡＳ−ＵＡＴＩ更新Ａｃｋメッセージを受信すると、ソースＳＲＮＣはタイマーＴｕｕｐｄ−ｉａｓを停止する。従って、呼び出しフロー９００は、ＵＡＴＩ割当てメッセージが失われる場合に、ソースコントローラがセッションをリコールし、該ソースコントローラが所有権を保持することを可能にするシナリオを例証している。
【００５７】
図１０は、ＵＡＴＩ完了メッセージが失われる場合のセッションリファレンス転送の失敗シナリオについて説明するさらに別の呼び出しフロー１０００の例示の態様を示している。上記の呼び出しフロー１０００は、ソースＳＲＮＣ及びターゲットＳＲＮＣが既に経路セットに存在するが、ｅＢＳ１は未だ経路セットに存在しないことを仮定している。最初に１００１では、ターゲットＳＲＮＣは、セッションリファレンス転送を要求するためにＩＡＳ−ＳＲＮＣ転送要求メッセージをソースＳＲＮＣに送信し、タイマーＴｓｔｒ−ｉａｓを開始する。次に１００２では、ソースＳＲＮＣがＩＡＳ−ＳＲＮＣ転送応答メッセージによりターゲットＳＲＮＣに応答する。このメッセージは（新規のＵＡＴＩに関して）新規のＵＡＴＩ＿ＳｅｑＮｏを含んでいる。ＩＡＳ−ＳＲＮＣ転送応答メッセージを受信すると、ターゲットＳＲＮＣはタイマーＴｓｔｒ−ｉａｓを停止する。
【００５８】
続いて１００３では、ターゲットＳＲＮＣは、新規のＵＡＴＩを含んでいるＵＡＴＩ割当てメッセージをＡＴに送信する。次に１００４では、ＡＴはターゲットＳＲＮＣにＵＡＴＩ割当てメッセージを送信する。しかしながら、図１０００に示すように、メッセージが送達される前に、ＡＴはそのコネクションを失う。この期間中にソースＳＲＮＣがページング要求メッセージを受信する場合、ソースＳＲＮＣは旧ページＩＤを用いて、ＡＴについてのページング手順を開始するものとする。ＵＡＴＩ完了メッセージが正常に送信されていない場合、ＡＴは旧ページＩＤと新規のページＩＤの両方を監視することが理解されるべきである。またＵＡＴＩ完了メッセージが受信されない場合、ソースＳＲＮＣ及びターゲットＳＲＮＣは、セッションキープアライブタイマーが終了するとすぐに、新規のＵＡＴＩを解放してもよい。１００５では、ＡＴは、新規のＵＡＴＩとともにＲｏｕｔｅＯｐｅｎＲｅｑｕｅｓｔメッセージを送信することによりｅＢＳ１にアクセスする。
【００５９】
次に１００６では、ｅＢＳ１は、ターゲットＳＲＮＣへのアクセスであることを示すフラグとともにＩＡＳ−セッション情報要求メッセージを送信し、タイマーＴｓｉｒ−ｉａｓを開始する。１００７では、新規のＵＡＴＩとともにＩＡＳ−セッション情報要求メッセージを受信すると、ターゲットＳＲＮＣは、セッションをアンロックし、ｅＢＳ１にＩＡＳ−セッション情報応答メッセージを送信する。該メッセージは、ＡＴのセッションを含む。ＩＡＳ−セッション情報応答メッセージを受信すると、ｅＢＳ１はタイマーＴｓｉｒ−ｉａｓを停止する。
【００６０】
続いて１００８では、ｅＢＳ１は、経路セットアップ手順を完了するために、ＡＴにＲｏｕｔｅＯｐｅｎＡｃｃｅｐｔメッセージを送信する。次に、１００９では、ＡＴは、ｅＢＳ１及びターゲットＳＲＮＣを含む経路セットにおける全てのＡＮＲＩにＲｏｕｔｅＭａｐＳｔａｔｕｓメッセージを送信する。１０１０では、新規のＵＡＴＩとともにＩＡＳ−セッション情報要求メッセージを受信すると、ターゲットＳＲＮＣは、ソースＳＲＮＣにＩＡＳ−ＵＡＴＩ更新メッセージを送信し、タイマーＴｕｕｐｄ−ｉａｓを開始する。次に１０１１では、ＩＡＳ−ＵＡＴＩ更新メッセージを受信すると、ソースＳＲＮＣは、ターゲットＳＲＮＣにＩＡＳ−ＵＡＴＩ更新Ａｃｋメッセージを送信し、旧ＵＡＴＩを解放してもよい。ＵＡＴＩ更新Ａｃｋメッセージを受信すると、ターゲットＳＲＮＣはタイマーＴｕｕｐｄ−ｉａｓを停止する。通信システムについても、ＵＡＴＩ完了メッセージが失われるセッションリファレンス転送の失敗シナリオ中に回復することができる。
【００６１】
図１１は、ソースＳＲＮＣからターゲットＳＲＮＣへのセッションの所有権の転送を容易にする特定システム１１００を示す。システム１１００は、アクセスポイントに関連付けることができ、セッション所有権の転送に関連して互いに通信しＵＡＴＩへの更新を行うコンポーネントのグループ１１０２を含んでいる。
【００６２】
グループ１１０２は、ソースＳＲＮＣからターゲットにセッションを転送するためのコンポーネント１１０６を含んでいる。上記グループは、セッション署名（不図示）を追跡するためのコンポーネント、及びＱｏＳコンフィギュレーション１１０７を供給するためのコンポーネントをさらに含んでおり、セッションが移動する場合、これに関連するコネクションを移動することを要しない。グループ１１０２は、ソースＳＲＮＣからの通信データ及び／又はメッセージ交換を受信するためのコンポーネント１１０８をさらに含んでおり、所望のデータがＡＴ及び／又はターゲットＳＲＮＣに送信される。ＡＴから受信された通信データは、シーケンス番号又はスタンプに関連付けられたＩＰカプセル化データパケットであってもよい。グループ１１０２は、適合するシーケンスにおいて、ターゲットＳＲＮＣ１１１０に通信データ（例えばメッセージ交換）を送信するためのコンポーネント１１１０を含んでもよい。システム１１００は、コンポーネント１１０４−１１１０の実行に関する命令を保持することのできるメモリ１１１２を含んでもよい。システム１１００は、ＡＴと通信する他のユニット及び基地局にセッション転送及び／又はターゲットＳＲＮＣのアイデンティティを通知するためのコンポーネント１１０４をさらに含む。
【００６３】
図１２は、ある態様に従ってターゲットＳＲＮＣに送信されたセッションとのインタラクションに関連して用いることができるシステム１２００を示す。システム１２００は、受信機１２０２を含み、該受信機１２０２は、例えば１つ又は複数の受信アンテナから信号を受信し、受信信号に対して典型的なアクションを（例えば、フィルターし、増幅し、ダウンコンバートし、…）行い、整えられた信号をデジタル化してサンプルを得る。復調器１２０４は、受信パイロットシンボルを復調し、チャネル推定のためにプロセッサ１２０６に提供することができる。
【００６４】
プロセッサ１２０６は、受信機コンポーネント１２０２による受信情報の分析及び／又は送信機１２１４による送信のための情報の生成のための専用のプロセッサであってもよい。プロセッサ１２０６は、システム１２００の１つ又は複数の部分を制御するプロセッサ及び／又は受信機１２０２によって受信された情報を分析し、送信機１２１４による送信のための情報を生成し、システム１２００の１つ又は複数の部分を制御するプロセッサであってもよい。システム１２００は、ハンドオフの前、最中、及び／又は後にユーザ機器の性能を最適化することができる最適化コンポーネント１２０８を含むことができる。最適化コンポーネント１２０８はプロセッサ１２０６に組入れられてもよい。最適化コンポーネント１２０８は、ソースＳＲＮＣからターゲットＳＲＮＣシステムへのセッションハンドオフを開始するべきかどうか判定することに関してユーティリィティベース分析を行う最適化コードを含むことができることが理解されるべきである。該最適化コードは、推論及び／又は確率的な判定を行い、及び／又はハンドオフを行うことに関する統計ベースの判定を行うことに関連して、人工知能ベースの方法を利用することができる。
【００６５】
システム（ユーザ機器）１２００は、プロセッサ１２０６と動作可能なように接続され、基地局に関する信号強度情報、スケジューリング情報などの情報を記憶するメモリ１２１０をさらに含んでもよい。そのような情報は、セッションハンドオフを開始し、かつ／又は要求するべきかどうか、及びこれをいつ開始し、かつ／又は要求するべきかどうかを決定することに関連して用いられる。メモリ１２１０は、ルックアップテーブルの生成等に関連付けられたプロトコルをさらに記憶してもよく、システム１２００が、記憶されたプロトコル及び／又はアルゴリズムを用いてシステムキャパシティを高めることができる。本明細書で説明されたデータ格納（例：メモリ）コンポーネントは、揮発性メモリ又は不揮発性メモリのいずれかであってもよく、揮発性メモリ及び不揮発性メモリの両者を含んでもよいことが理解されるであろう。限定ではなく実例として、不揮発性メモリは、読み取り専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）又はフラッシュメモリを含んでもよい。揮発性メモリはランダムアクセスメモリ（ＲＡＭ）を含み、外部キャッシュメモリとして働く。限定ではなく実例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）及びダイレクトＲａｍｂｕｓＲＡＭ（ＤＲＲＡＭ）のような様々な形式が利用可能である。メモリ１２１０は、これら及び他の任意の適合する型のメモリを含むことが意図されるが、これらには限定されない。プロセッサ１２０６は、シンボル変調器１２１２、及び変調された信号を送信する送信機１２１４に接続される。
【００６６】
図１３は、アクセス端末（ＡＴ）がアクセスネットワーク（ＡＮ）と通信できるようにするためのリソース（例えば、専用リソース）の割当てを担う基地局がコネクションを制御する、基地局機能を示す。図示のように、システム１３００は、１つ又は複数の受信アンテナ１３０６を通して１つ又は複数のユーザ装置１３０４から信号を受信し、複数の送信アンテナ１３０８を通して１つ又は複数のユーザ装置１３０４に送信をする受信機１３１０を備える基地局１３０２を含む。ある例では、受信アンテナ１３０６及び送信アンテナ１３０８は、単一のアンテナセットを用いて実装することができる。受信機１３１０は、受信アンテナ１３０６から情報を得ることができ、受信された情報を復調する復調器１３１２と動作可能なように関連付けられている。例えば受信機１３１０は、レーキ受信機（例えば複数のベースバンド相関器…を用いてマルチパス信号成分を独立して処理する技術）、ＭＭＳＥベースの受信機、又は割り当てられたユーザ装置を分離するための何らかの他の適合する受信機であってもよいことを当業者なら理解するであろう。例えば、（例えば１つの受信アンテナ当たり１つの）複数の受信機を用いることができ、該受信機が互いに通信してユーザーデータの推定を向上してもよい。復調されたシンボルは、上記図１１に関して説明されたプロセッサと同様、プロセッサ１３１４によって分析される。プロセッサ１３１４は、ユーザ装置割当て、関連するルックアップテーブル等に関する情報を記憶するメモリ１３１６に接続される。受信機１３１０及び／又はプロセッサ１３１４は、各アンテナについての受信機出力を合同で処理することができる。変調器１３１８は、送信機１３２０によるユーザ装置１３０４への送信アンテナ１３０８を通じた送信のために、信号を多重化することができる。
【００６７】
本明細書に開示された実施形態に関して説明された様々な例示的なロジック、論理ブロック、モジュール、及び回路は、汎用プロセッサ、デジタル信号プロセッサ（ＤＳＰ）、特定用途向け集積回路（ＡＳＩＣ）、フィールドプログラム可能なゲートアレイ信号（ＦＰＧＡ）又はその他のプログラム可能な論理素子、離散ゲートもしくはトランジスタ論理、離散的ハードウェアコンポーネント、あるいは本明細書で説明される機能を実行するように設計されたそれらの任意の組合せを用いて実装又は実行され得る。汎用プロセッサはマイクロプロセッサであってよいが、代替案では、プロセッサは任意の通常のプロセッサ、コントローラ、マイクロコントローラ、又は状態機械であってもよい。プロセッサは、コンピューティング装置の組合せ（例えば、ＤＳＰとマイクロプロセッサの組合せ、複数のマイクロプロセッサ、ＤＳＰコアと共に１つ又は複数のマイクロプロセッサ、又は任意の別のそのような構成）として実装されてもよい。さらに、少なくとも１つのプロセッサは、上記で説明された１つ又は複数のステップ及び／又はアクションを行うように動作可能な１つ又は複数のモジュールを含んでもよい。
【００６８】
さらに、本明細書で開示される態様に関して説明される方法又はアルゴリズムのステップ及び／又はアクションは、ハードウェアの形で直接的に、プロセッサによって実行されるソフトウェアモジュールの形で、又はそれら２つの組合せの形で実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、又は当技術分野において知られている任意のその他の形式の記憶媒体の中に存在し得る。例示的な記憶媒体は、プロセッサが記憶媒体から情報を読み取り、記憶媒体に情報を書き込むことが可能であるようにプロセッサに結合されてもよい。代替案では、記憶媒体はプロセッサに統合されてもよい。さらに、態様によっては、プロセッサ及び記憶媒体はＡＳＩＣ内に存在してもよい。またＡＳＩＣはユーザ端末内に存在してもよい。代替案では、プロセッサ及び記憶媒体はユーザ端末における個別部品として存在してもよい。さらに、いくつかの態様において、方法又はアルゴリズムのステップ及び／又はアクションは、１つ又は任意の組合せとして、又はコンピュータプログラム製品に組入れられ得る機械可読媒体及び／又はコンピュータ可読媒体上のコード及び／又は命令のセットとして存在してもよい。
【００６９】
１つ又は複数の態様において、説明された機能は、ハードウェア、ソフトウェア、ファームウェアあるいはそれらの任意の組み合わせで実装してもよい。ソフトウェアの形で実施される場合、機能は、１つ又は複数の命令又はコードとしてコンピュータ可読媒体上に記憶され送信されることが可能である。コンピュータ可読媒体は、コンピュータ記憶媒体及びある場所から別の場所へのコンピュータプログラムの転送を容易にするあらゆる媒体を含む通信媒体の両方を含む。記憶媒体は、コンピュータによってアクセスされ得る任意の利用可能な媒体であり得る。限定としてではなく、例として、かかるコンピュータ可読媒体はＲＡＭ、ＲＯＭ、ＥＥＰＲＯＭ、ＣＤ−ＲＯＭもしくはその他の光ディスク記憶装置、磁気ディスク記憶装置もしくはその他の磁気記憶装置、又は所望されるプログラムコードを命令又はデータ構造の形式で運ぶため又は記憶するために使用されることが可能であり、かつコンピュータによってアクセスされることが可能な任意のその他の媒体を備え得る。また、任意の接続がコンピュータ可読媒体であってもよい。例えば、ソフトウェアが同軸ケーブル、光ファイバケーブル、より対線、デジタル加入者線（ＤＳＬ）、又は赤外線、無線、及びマイクロ波などの無線技術を使用して、ウェブサイト、サーバ、又はその他の遠隔ソースから送信される場合、同軸ケーブル、光ファイバケーブル、より対線、ＤＳＬ、又は赤外線、無線、及びマイクロ波などの無線技術は媒体の定義に含まれる。本明細書で使用される場合、ディスク及びディスク（Ｄｉｓｋ  ａｎｄ  ｄｉｓｃ）は、コンパクトディスク（ＣＤ）、レーザディスク、光ディスク、デジタル多目的ディスク（ＤＶＤ）、フロッピー（登録商標）ディスク及びブルーレイディスクを含み、ｄｉｓｋは通常、磁気によってデータを複製し、一方、ｄｉｓｃは通常、レーザを用いて光学的にデータを複製する。上記の組合せもコンピュータ可読媒体の範囲内に含まれるべきである。
【００７０】
上述の開示は、例示の態様及び／又は実施形態を説明するものであったが、添付のクレームによって定義される、説明された態様及び／又は実施形態の範囲から外れることなく、種々の変更及び変形を行っても良い。さらに、説明された態様及び／又は実施形態のエレメントが、単数で説明され、クレームされている場合もあるが、単数であるとの限定が明示的に述べられていない限り、複数が意図される。さらに、任意の態様及び／又は実施形態の全て又は一部は、別段の断りがない限り、任意の他の態様及び／又は実施形態の全て又は一部とともに用いられ得る。
【図１】
2010522509.tif 000003
【図２】
2010522509.tif 000004
【図３】
2010522509.tif 000005
【図４】
2010522509.tif 000006
【図５】
2010522509.tif 000007
【図６】
2010522509.tif 000008
【図７】
2010522509.tif 000009
【図８】
2010522509.tif 000010
【図９】
2010522509.tif 000011
【図１０】
2010522509.tif 000012
【図１１】
2010522509.tif 000013
【図１２】
2010522509.tif 000014
【図１３】
2010522509.tif 000015
【国際調査報告】
2010522509.tif 000016
2010522509.tif 000017
2010522509.tif 000018